【手続補正書】
【提出日】平成20年4月9日(2008.4.9)
【手続補正１】
【補正対象書類名】特許請求の範囲
【補正対象項目名】全文
【補正方法】変更
【補正の内容】
【特許請求の範囲】
【請求項１】
外側容器と内側容器とを備える流体容器から液体を分配する方法であって、該内側容器の一部分は最初に液体で占められており、そして、該内側容器の残りの部分は、最初に上部スペースの気体で占められており、該方法は、以下：
該内側容器から、該上部スペースの気体を排出させる工程；
該排出させる工程の後に、該内側容器内へと、空であることを検出するための気体のある量を導入する工程；および
該内側容器を圧縮して、該内側容器から液体を押し出す工程
を包含する、方法。
【請求項２】
前記内側容器を圧縮する工程が、以下：
該内側容器と前記外側容器との間の圧縮された空間に加圧された流体を供給して、該内側容器から液体を分配する工程
を包含する、請求項１に記載の方法。
【請求項３】
請求項１に記載の方法であって、該方法は、さらに、以下：
コネクタを前記流体容器に取り付ける工程であって、該コネクタは、内部に流体通路を有するプローブを備え、該流体通路は、前記内側容器から液体を送達するように適合されており、該コネクタは、さらに、該内側容器の内部と、前記外側容器の外部との間を連絡する、気体通路を備え、該気体通路は、該内側容器から前記上部スペースの気体を排出させるように適合されている、工程
を包含する、方法。
【請求項４】
前記上部スペースの気体を排出させる工程が、以下：
上部スペースの気体の排気管と、前記気体通路との間に、排気弁を接続する工程；
該排気弁を開いて、該上部スペースの気体を、該気体通路を介して、該上部スペースの気体の排気管へと排出させる工程；および
液体が該気体通路内に流入し始めると、該排気弁を閉じる工程
を包含する、請求項３に記載の方法。
【請求項５】
請求項４に記載の方法であって、該方法は、前記排気弁を閉じる前に、さらに、以下：
前記内側容器と前記外側容器との間に圧力下で流体を供給して、前記気体通路を介して、前記上部スペースの気体を、該内側容器から前記上部スペースの気体の排気管へと押し出す工程
を包含する、方法。
【請求項６】
請求項１に記載の方法であって、該方法は、さらに、以下：
前記液体が、前記内側容器から排出されたときに、前記空であることを検出するための気体を検知する工程；および
該空であることを検出するための気体が検知されたときに、該液体の前記製造プロセスへの分配を終了させる工程
を包含する、方法。
【請求項７】
前記内側容器内へと、空であることを検出するための気体のある量を導入する工程が、以下：
空であることを検出するための気体の供給源と前記気体通路との間に、第１ブロック弁、気体量制御装置、および第２ブロック弁を接続する工程；
該第１ブロック弁を開いて、該空であることを検出するための気体を、該空であることを検出するための気体の供給源から該気体量制御装置へと流入させる工程；
一定量の空であることを検出するための気体が該気体量制御装置を満たしたときに、該第１ブロックを閉じる工程；および
該第２ブロック弁を開いて、該空であることを検出するための気体を、該気体通路を介して、該気体量制御装置から該内側容器の内部へと流入させる工程
を包含する、請求項１に記載の方法。
【請求項８】
外側容器と内側容器とを備える容器から製造プロセスへと液体を分配するためのシステムであって、該内側容器は、該液体および上部スペースの気体で占められるように構成されており、該システムは、以下：
該容器に取り付け可能なコネクタであって、該コネクタは、該内側容器内に挿入可能であり、かつ内部に流体通路を有するプローブを備え、該コネクタは、さらに、該内側容器の内部と流体連絡する気体通路を備え、該気体通路が、上部スペースの気体の排気管および空であることを検出するための気体の供給源に選択的に接続可能である、コネクタ；
該気体通路を介して、該内側容器から該上部スペースの気体の排気管へと、該上部スペースの気体を押し出すため、そして、該プローブ内の流体通路を通して、該内側容器から該製造プロセスへと液体を押し出すための手段；ならびに
空であることを検出するための気体のセンサであって、該空であることを検出するための気体のセンサは、前記液体を前記製造プロセスへと分配する直前に、該空であることを検出するための気体の供給源から前記内側容器の内部へと導入された空であることを検出するための気体を検知する、空であることを検出するための気体のセンサ、
を備える、システム。
【請求項９】
請求項８に記載のシステムであって、該システムは、さらに、以下：
前記上部スペースの気体の排気管と前記気体通路との間に接続された排気弁であって、該排気弁は、該気体通路を介して、前記上部スペースの気体を、該上部スペースの気体の排気管へと排出させるために選択可能な開位置と、該上部スペースの気体が、前記内側容器の内部から排出されたときに選択可能な閉位置とを有する、排気弁
を備える、システム。
【請求項１０】
請求項９に記載のシステムであって、該システムは、さらに、以下：
該気体通路と該上部スペースの気体の排気管との間に接続された液体センサであって、該センサは、液体が、該気体通路内へと流入し始めたときを検知して、該上部スペースの気体が前記内側容器の内部から排出されたことを示すためのものである、液体センサ
を備える、システム。
【請求項１１】
請求項９に記載のシステムであって、該システムは、さらに、以下：
気体量制御装置；
空であることを検出するための気体の供給源と該気体量制御装置との間に接続された第１ブロック弁であって、該第１ブロック弁は、空であることを検出するための気体が、該空であることを検出するための気体の供給源から該気体量制御装置内へと流入することを可能にするために選択可能な開位置と、一定量の空であることを検出するための気体が該気体量制御装置内へと導入されたときに選択可能な閉位置とを有する、第１ブロック弁；および
該気体量制御装置と前記内側容器の内部との間に接続された第２ブロック弁であって、該第２ブロック弁は、空であることを検出するための気体が、該気体量制御装置から該内側容器の内部内へと流入することを可能にするために選択可能な開位置と、該空であることを検出するための気体が該気体量制御装置から排出されたときに選択可能な閉位置とを有する、第２ブロック弁
を備える、システム。
【請求項１２】
請求項１１に記載のシステムであって、該システムは、さらに、以下：
前記空であることを検出するための気体の供給源と前記気体量制御装置との間に接続された、圧力調節ゲージであって、該圧力調節ゲージは、該気体量制御装置内の圧力に基づいて、前記一定量の空であることを検出するための気体が該気体量制御装置内に導入されたときに、前記第１ブロック弁が閉じられるように、該空であることを検出するための気体が該気体量制御装置内に導入されたときに、該気体量制御装置内の圧力を調節するためのものである、圧力調節ゲージ
を備える、システム。
【請求項１３】
請求項１１に記載のシステムであって、該システムは、さらに、以下：
前記ブロック弁、前記上部スペースの気体の排気管、および前記内側容器の内部に接続されたポートを有する選択弁であって、該選択弁は、該ブロック弁および該上部スペースの気体の排気管の、該内側容器の内部への選択可能な流体接続を可能にする、選択弁
を備える、システム。
【請求項１４】
前記手段が、圧縮気体の供給源を備える、請求項８に記載のシステム。
【請求項１５】
液体取り扱いシステムであって、以下：
容器であって、以下：
外側容器；および
内側を有する内側容器；
を備える容器であって、該内側容器の一部分は、該液体によって占められており、そして、該内側容器の残りの部分は、上部スペースの気体によって占められている、容器；
該容器に取り付け可能なコネクタであって、該コネクタは、該内側容器内に挿入可能であり、かつ内部に流体通路を有するプローブを備え、該コネクタは、さらに、該内側容器の内部と流体連絡する気体通路を備え、該気体通路は、該上部スペースの気体の排気管および空であることを検出するための気体の供給源に選択的に接続可能である、コネクタ；
該気体通路を介して、該内側容器から上部スペースの気体の排気管へと該上部スペースの気体を押し出すため、および、該流体通路を通して、該内側容器から製造プロセスへと液体を押し出すために、圧力下で、該外側容器の内壁と該内側容器との間の空間内に流体を流入させるための、該外側容器の内壁と該内側容器との間の空間と流体連絡している、流体供給源；ならびに
空であることを検出するための気体のセンサであって、該空であることを検出するための気体のセンサは、該液体を該製造プロセスへと分配する直前に、該内側容器の内部へと導入された空であることを検出するための気体を検知する、空であることを検出するための気体のセンサ、
を備え、該空であることを検出するための気体の供給源が、該流体供給源とは異なる、システム。
【請求項１６】
請求項１５に記載の液体取り扱いシステムであって、該システムは、さらに、以下：
前記気体通路と前記上部スペースの気体の排気管との間に接続された液体センサであって、該センサは、液体が該気体通路内に流入し始めたときを検知して、前記上部スペースの気体が、前記内側容器の内部から排出されたことを示すためのものである、液体センサを備える、液体取り扱いシステム。
【請求項１７】
請求項１５に記載の液体取り扱いシステムであって、該システムは、さらに、以下：
前記上部スペースの気体の排気管と前記気体通路との間に接続された排気弁であって、該排気弁は、該気体通路を介して、前記上部スペースの気体を、該上部スペースの気体の排気管へと排出させるために選択可能な開位置と、該上部スペースの気体が、前記内側容器の内部から排出されたときに選択可能な閉位置とを有する、排気弁
を備える、液体取り扱いシステム。
【請求項１８】
外側容器と内側容器とを備える容器から製造プロセスへと液体を分配するためのシステムであって、該内側容器は、該液体および上部スペースの気体で占められるように構成されており、該システムは、以下：
該容器に取り付け可能なコネクタであって、該コネクタは、該内側容器内に挿入可能であり、かつ内部に流体通路を有するプローブを備え、該コネクタは、さらに、該内側容器の内部と該外側容器の外部との間を連絡する気体通路を備える、コネクタ；
該気体通路を介して、該内側容器から該上部スペースの気体の排気管へと、該上部スペースの気体を押し出すため、そして、該プローブ内の流体通路を通して、該内側容器から該製造プロセスへと液体を押し出すための手段；
該上部スペースの気体の排気管と該気体通路との間に接続された排気弁であって、該排気弁は、該気体通路を介して、該上部スペースの気体を、該上部スペースの気体の排気管へと排出させるために選択可能な開位置と、該上部スペースの気体が、該内側容器の内部から排出されたときに選択可能な閉位置とを有する、排気弁
気体量制御装置；
空であることを検出するための気体の供給源と該気体量制御装置との間に接続された第１ブロック弁であって、該第１ブロック弁は、空であることを検出するための気体が、該空であることを検出するための気体の供給源から該気体量制御装置内へと流入することを可能にするために選択可能な開位置と、一定量の空であることを検出するための気体が該気体量制御装置内へと導入されたときに選択可能な閉位置とを有する、第１ブロック弁；および
該気体量制御装置と該内側容器の内部との間に接続された第２ブロック弁であって、該第２ブロック弁は、空であることを検出するための気体が、該気体量制御装置から該内側容器の内部内へと流入することを可能にするために選択可能な開位置と、該空であることを検出するための気体が該気体量制御装置から排出されたときに選択可能な閉位置とを有する、第２ブロック弁
を備える、システム。
【請求項１９】
請求項１８に記載のシステムであって、該システムは、さらに、以下：
前記空であることを検出するための気体の供給源と前記気体量制御装置との間に接続された、圧力調節ゲージであって、該圧力調節ゲージは、該気体量制御装置内の圧力に基づいて、前記一定量の空であることを検出するための気体が該気体量制御装置内に導入されたときに、前記第１ブロック弁が閉じられるように、該空であることを検出するための気体が該気体量制御装置内に導入されたときに、該気体量制御装置内の圧力を調節するためのものである、圧力調節ゲージ
を備える、システム。